【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域、及び少なくとも該遊技領域内で前後方向に視認可能な透過部を有した遊技盤と、
前記遊技盤の前記遊技領域内に配置される始動口と、
前記始動口への遊技媒体の受入れに基づいて所定の抽選を行う抽選手段と、
少なくとも前記抽選手段による前記抽選の結果に応じて所定の演出画像が表示されうるとともに、前記遊技盤の前記透過部を通して前記所定の演出画像を遊技者から視認可能となるように配置された演出表示手段と、
前記演出表示手段の上側で前記始動口とは異なる位置に配置され、前記抽選手段による抽選結果に応じて遊技媒体の受入れが可能となる受入口と、
前記受入口に受入れられた遊技媒体を検出する受入検出手段と、
少なくとも前記受入検出手段による遊技媒体の検出、及び前記抽選手段による前記抽選の結果に応じて所定の特典を付与する特典付与手段と、
前記演出表示手段の左右何れか一方に配置され上下方向に延びる軸芯周りに回転可能とされると共に回転される方向に少なくとも二つの空間が形成されるように分割する隔壁部を有する役物回転体本体、
前記役物回転体本体の前記隔壁部によって回転される方向に分割された一方に配置され前記受入検出手段により検出された遊技媒体が流通可能な流通空間、
前記流通空間とは前記隔壁部を挟んで反対側に配置される発光装飾体、
前記流通空間から遊技媒体の排出が可能とされ互いに異なる位置に配置された第一排出口と第二排出口とからなる排出口、及び
前記排出口の前記第一排出口と前記第二排出口とうちの何れかに遊技媒体を前記抽選手段の前記抽選結果に応じて振分ける振分手段、
を少なくとも有し、遊技制御に影響を与えることなく遊技媒体を流通させて前記遊技領域外へ排出する特別役物と、
前記特別役物を、少なくとも前記抽選手段による前記抽選の結果に応じて、遊技者から前記発光装飾体が視認可能な状態から前記流通空間が視認可能な状態に回転移動させる特別役物移動手段と、
少なくとも前記演出表示手段、前記特別役物及び前記特別役物移動手段を、前記遊技盤の前記透過部を通して遊技者から視認可能となるように前記遊技盤の後側に支持する枠状の支持部材と、
前記遊技盤の前記遊技領域内に打ち込まれた遊技媒体を左右方向に転動可能なステージを少なくとも有し、前記特別役物の一部を覆うように前記遊技盤の前面側に配置される枠状のセンター役物と
を備えることを特徴とする遊技機。
【請求項２】
前記特別役物と前記センター役物との間に配置され、前記特別役物の外周を閉鎖して前記遊技領域と前記特別役物の前記流通空間との間で遊技媒体が流通するのを防止すると共に、前記センター役物によって隠蔽される位置に配置され外部から前記特別役物を手動で回転可能とするための切欠き部を有する閉鎖部材をさらに備える
請求項１に記載の遊技機。
【請求項３】
前記閉鎖部材は、
遊技媒体が通過不能な大きさとされ、前記流通空間内で遊技媒体が詰った際に外部から遊技媒体の詰りを解消させるためのスリットをさらに有する
請求項１または２に記載の遊技機。
【手続補正２】
【補正対象書類名】明細書
【補正対象項目名】０００８
【補正方法】変更
【補正の内容】
【０００８】
手段１：遊技機において、
「遊技者の操作によって遊技媒体が打ち込まれる遊技領域、及び少なくとも該遊技領域内で前後方向に視認可能な透過部を有した遊技盤と、
前記遊技盤の前記遊技領域内に配置される始動口と、
前記始動口への遊技媒体の受入れに基づいて所定の抽選を行う抽選手段と、
少なくとも前記抽選手段による前記抽選の結果に応じて所定の演出画像が表示されうるとともに、前記遊技盤の前記透過部を通して前記所定の演出画像を遊技者から視認可能となるように配置された演出表示手段と、
前記演出表示手段の上側で前記始動口とは異なる位置に配置され、前記抽選手段による抽選結果に応じて遊技媒体の受入れが可能となる受入口と、
前記受入口に受入れられた遊技媒体を検出する受入検出手段と、
少なくとも前記受入検出手段による遊技媒体の検出、及び前記抽選手段による前記抽選の結果に応じて所定の特典を付与する特典付与手段と、
前記演出表示手段の左右何れか一方に配置され上下方向に延びる軸芯周りに回転可能とされると共に回転される方向に少なくとも二つの空間が形成されるように分割する隔壁部を有する役物回転体本体、
前記役物回転体本体の前記隔壁部によって回転される方向に分割された一方に配置され前記受入検出手段により検出された遊技媒体が流通可能な流通空間、
前記流通空間とは前記隔壁部を挟んで反対側に配置される発光装飾体、
前記流通空間から遊技媒体の排出が可能とされ互いに異なる位置に配置された第一排出口と第二排出口とからなる排出口、及び
前記排出口の前記第一排出口と前記第二排出口とうちの何れかに遊技媒体を前記抽選手段の前記抽選結果に応じて振分ける振分手段、
を少なくとも有し、遊技制御に影響を与えることなく遊技媒体を流通させて前記遊技領域外へ排出する特別役物と、
前記特別役物を、少なくとも前記抽選手段による前記抽選の結果に応じて、遊技者から前記発光装飾体が視認可能な状態から前記流通空間が視認可能な状態に回転移動させる特別役物移動手段と、
少なくとも前記演出表示手段、前記特別役物及び前記特別役物移動手段を、前記遊技盤の前記透過部を通して遊技者から視認可能となるように前記遊技盤の後側に支持する枠状の支持部材と、
前記遊技盤の前記遊技領域内に打ち込まれた遊技媒体を左右方向に転動可能なステージを少なくとも有し、前記特別役物の一部を覆うように前記遊技盤の前面側に配置される枠状のセンター役物と
を備える」ことを特徴とする遊技機。
【手続補正３】
【補正対象書類名】明細書
【補正対象項目名】００１５
【補正方法】変更
【補正の内容】
【００１５】
更に、「回転される方向に少なくとも二つの空間が形成されるように分割」とは、等分割であっても良いし、非等分割であっても良く、二つ、或いは、それ以上に分割しても良い。また、分割される一方（流通空間が配置される側）の角度範囲としては、３０〜２１０度の範囲内、望ましくは１２０〜１８０度の範囲内であり、これよりも範囲が狭いと流通空間が狭くなり遊技媒体の動きを楽しませられ難くなる恐れがあり、これよりも範囲が広いと回転させて流通空間を視認不能とするのが困難となるためである。
【手続補正４】
【補正対象書類名】明細書
【補正対象項目名】００２４
【補正方法】変更
【補正の内容】
【００２４】
手段１の構成によると、遊技媒体が打ち込まれる遊技領域及び前後方向に視認可能な透過部を有した遊技盤と、遊技領域内に配置された始動口と、始動口への遊技媒体の受入れに基づいて抽選を行う抽選手段と、抽選結果に応じて所定の演出画像を表示可能な演出表示手段と、演出表示手段の上側に配置され抽選結果に応じて遊技媒体の受入れが可能となる受入口と、受入口に受入れられた遊技媒体を検出する受入検出手段と、抽選結果や受入検出手段の検出に基づいて所定の特典を付与する特典付与手段と、演出表示手段の左右何れか一方に配置され回転される方向に少なくとも二つの空間が形成されるように分割する隔壁部を有し上下方向に延びる軸芯周りに回転可能とされた役物回転体本体、役物回転体本体の隔壁部によって分割された一方の空間に配置され受入検出手段によって検出された遊技媒体が流通可能な流通空間、流通空間とは隔壁部を挟んで反対側に配置される発光装飾体、流通空間から遊技媒体を排出する第一排出口及び第二排出口からなる排出口、第一排出口又は第二排出口の何れかに抽選結果に応じて遊技媒体を振分ける振分手段、を有し遊技制御に影響を与えることなく遊技領域外へ遊技媒体を排出する特別役物と、抽選結果に応じて特別役物の発光装飾体が視認可能な状態から流通空間が視認可能な状態に回転移動させる特別役物移動手段と、演出表示手段及び特別役物を透過部を通して視認可能となるように遊技盤の後側に支持すると共に特別役物移動手段を遊技盤の後側に支持する枠状の支持部材と、左右方向に遊技媒体が転動可能なステージを有し遊技盤の前面側で特別役物に一部を覆うように配置される枠状のセンター役物と、を備えたものである。